(57)【特許請求の範囲】
【請求項１】
水を加熱して蒸気を発生させるボイラと、
前記ボイラからの蒸気で発電機を駆動させる蒸気タービンと、
前記蒸気タービンから排気又は抽気された蒸気の熱を利用して、前記ボイラに供給する水を温める、蒸気熱利用の給水加熱器と、
太陽光を集光させて発生する熱を利用して、前記ボイラに供給する水を温める、太陽熱利用の給水加熱器と、
前記蒸気熱利用の給水加熱器の入口に向けて水を流すための第１の水経路と、
前記蒸気熱利用の給水加熱器の出口から排出された水を流すための第２の水経路と、
前記蒸気熱利用の給水加熱器をバイパスして前記第１の水経路から前記第２の水経路に水を流すための第３の水経路と、
前記第２又は第３の水経路内を流れる水の温度を計測する温度計測器と、
前記温度に基づいて、前記第１の水経路上の分配弁と前記第３の水経路上の分配弁とを制御する、又は前記第１の水経路と前記第３の水経路との合流地点上の三方弁を制御する制御器と、
を備える発電プラント。
【請求項２】
前記太陽熱利用の給水加熱器は、前記第２の水経路と前記第３の水経路との合流地点よりも下流側の前記第２の水経路上に配置されており、
前記温度計測器は、前記太陽熱利用の給水加熱器の下流側の前記第２の水経路内を流れる水の温度を計測する、
請求項１に記載の発電プラント。
【請求項３】
前記太陽熱利用の給水加熱器は、前記第１の水経路と前記第３の水経路との合流地点よりも上流側の前記第１の水経路上に配置されており、
前記温度計測器は、前記第２の水経路と前記第３の水経路との合流地点よりも下流側の前記第２の水経路内を流れる水の温度を計測する、
請求項１に記載の発電プラント。
【請求項４】
前記太陽熱利用の給水加熱器は、前記第３の水経路上に配置されており、
前記温度計測器は、前記太陽熱利用の給水加熱器の下流側の前記第３の水経路内を流れる水の温度を計測する、
請求項１に記載の発電プラント。
【請求項５】
前記太陽熱利用の給水加熱器は、前記第３の水経路上に配置されており、
前記温度計測器は、前記第２の水経路と前記第３の水経路との合流地点よりも下流側の前記第２の水経路内を流れる水の温度を計測する、
請求項１に記載の発電プラント。
【請求項６】
前記制御器は、
前記発電機に関する要求出力指令値と、前記発電機の発電量計測値とに基づき、前記ボイラからの蒸気を前記蒸気タービンに搬送するための経路上のガバナ弁の開度の制御用のタービンガバナ指令値と、前記ボイラに関するボイラ入力指令値とを修正し、
前記ボイラ入力指令値と、前記ボイラからの蒸気の圧力計測値とに基づき、前記ボイラに供給する水の流量の制御用の給水指令値と、前記ボイラに関する燃焼量指令値とを修正し、
前記燃焼量指令値と、前記ボイラからの蒸気の温度計測値とに基づき、前記ボイラに供給する燃料の流量の制御用の燃料指令値を修正し、
前記タービンガバナ指令値に基づき、前記ガバナ弁の開度を制御し、前記給水指令値に基づき、前記ボイラに供給する水の流量を制御し、前記燃料指令値に基づき、前記ボイラに供給する燃料の流量を制御することにより、前記発電機の発電量を制御する、
請求項１から５のいずれか１項に記載の発電プラント。
【発明の詳細な説明】
【技術分野】
【０００１】
本発明の実施形態は、発電プラント及びその運転方法に関する。
【背景技術】
【０００２】
太陽熱発電とは、太陽光を集光して、汽力発電の熱源として利用する発電方法である。太陽熱発電のメリットとしては、環境汚染がないことや、燃料費が不要であることなどが挙げられる。しかし、太陽熱発電には、発電の効率性を考えると、大型の設備が必要となるとともに、十分な熱量の確保のために広大な受光面積（大規模な面積の土地）が必要となるなどのデメリットがある。ゆえに、太陽熱発電のみで、火力発電の代替となる大容量電源の発電設備を構成することは困難である。
【０００３】
そこで、従来の火力発電と太陽熱発電とを組み合わせた様々な汽力発電システムが考案されている。例えば、ボイラに供給する水を温める給水加熱器の一部に、太陽熱を利用する方法が考案されており、図１０を参照して説明する。
【０００４】
図１０は、従来の発電プラントの構成を示す概略的な構成図である。図１０の発電プラントは、火力発電と太陽熱発電とを組み合わせた汽力発電システムに相当する。
【０００５】
図１０の発電プラントでは、燃料Ｆを燃料流量調節弁Ｖ１からボイラ１に供給し、ボイラ１で燃料Ｆを燃やして、水から蒸気を発生させる。この蒸気Ｓ１を蒸気タービン２のガバナ弁Ｖ２に導いて、蒸気タービン２を回し、発電機３により回転エネルギーを電気エネルギーに変換する。
【０００６】
蒸気タービン２を回した排気蒸気Ｓ２は、図示しない復水器で冷やして水に戻される。この水Ｗ１を給水ポンプ４にて昇圧し、給水流量調節弁Ｖ３に導いて、蒸気熱利用の給水加熱器５に流入させる。
【０００７】
蒸気タービン２の中間段から抽気される蒸気は、抽気逆止弁Ｖ４を経て、蒸気熱利用の給水加熱器５に流入する抽気蒸気Ｓ３となる。蒸気熱利用の給水加熱器５の伝熱管内で水が温められるとともに、伝熱管外の抽気蒸気が冷やされる。この抽気蒸気は、冷やされてドレン水となり、器内に溜まる。このドレン水の水位計測値Ｉ１が所定の水位となるように、給水加熱器ドレン水位調節弁Ｖ５が制御され、ドレン水Ｗ３が蒸気熱利用の給水加熱器５から流出される。
【０００８】
蒸気熱利用の給水加熱器５で温められた水は、太陽熱利用の給水加熱器６に流入し、太陽からの入熱量Ｑによりさらに温められ、ボイラ１に供給される水Ｗ２となる。
【０００９】
次に、図１０を参照し、従来の発電プラントにおける蒸気の温度変動の抑制方法とその問題点について説明する。
【００１０】
ボイラ１が貫流ボイラの場合は、太陽からの日射量が変動すると、ボイラ１の蒸発部内で水から蒸気への蒸発完了点が変動する。
【００１１】
例えば、太陽からの日射量が増加すると、入熱量Ｑも増加するため、太陽熱利用の給水加熱器６を通過後の水Ｗ２の温度が上昇し、ボイラ１に供給される水の温度も上昇する。この結果、ボイラ１の蒸発部内で水から蒸気への蒸発完了点が上流側に移動して過熱部が相対的に長くなるため、過熱部出口の蒸気の温度が上昇し、ボイラ１の出口部の蒸気Ｓ１の温度も上昇する。
【００１２】
逆に、太陽からの日射量が減少すると、入熱量Ｑも減少するため、太陽熱利用の給水加熱器６を通過後の水Ｗ２の温度が低下し、ボイラ１に供給される水の温度も低下する。この結果、ボイラ１の蒸発部内で水から蒸気への蒸発完了点が下流側に移動して過熱部が相対的に短くなるため、過熱部出口の蒸気の温度が低下し、ボイラ１の出口部の蒸気Ｓ１の温度も低下する。
【００１３】
このような蒸気の温度変動を抑えるため、太陽からの日射量が増加して、蒸気Ｓ１の温度が上昇した場合には、燃料流量調節弁Ｖ１を閉じて、ボイラ１に投入する燃料Ｆの流量を減少させる。逆に、太陽からの日射量が減少し、蒸気Ｓ１の温度が低下した場合には、燃料流量調節弁Ｖ１を開けて、ボイラ１に投入する燃料Ｆの流量を増加させる。
【００１４】
この作動原理は、太陽からの日射量が増加するほど、ボイラ１に投入する燃料Ｆの流量を減少でき、燃料費を抑えられることを意味している。
【００１５】
しかし、ボイラ１の熱容量は大きいため、太陽からの日射量が大きく変動すると、蒸気の温度変動を短時間内に許容される範囲内に抑えることができなくなる。そのため、ボイラ１や、蒸気タービン２や、蒸気Ｓ１が流動する蒸気配管の金属部などで、熱応力の繰返しによる熱疲労損傷が生じるという問題がある。
【００１６】
また、ボイラ１の燃料流量調節弁Ｖ１と、ボイラ１の過熱器スプレー水量を制御する温度調節弁（不図示）との干渉や、蒸気タービン２のガバナ弁Ｖ２や給水流量調節弁Ｖ３の制御との干渉が発生し、ボイラ制御やタービン制御が不安定化するという問題もある。
【先行技術文献】
【非特許文献】
【００１７】
【非特許文献１】社団法人、火力原子力発電技術協会、火原限協会講座（２１）、「計測制御と自動化」（平成６年６月発行）、第３３〜３６頁
【発明の概要】
【発明が解決しようとする課題】
【００１８】
太陽熱を利用する発電プラント（汽力発電システム）は、天候の変化により太陽からの日射量が変動するため、それに応じて運転状態も変動することになる。特に、日本のように日中に天気が晴れ、曇り、雨と不規則に大きく変化することが多い地域では、太陽熱を利用する発電プラントの運転状態も頻繁に大きく変動することになる。
【００１９】
しかしながら、従来の発電プラントでは、太陽からの日射量が大きく変動すると、ボイラ１や、蒸気タービン２や、蒸気Ｓ１が流動する蒸気配管の金属部などで熱疲労損傷が生じたり、ボイラ制御やタービン制御が不安定化するという問題が発生する。
【００２０】
そこで、本発明は、太陽からの日射量が大きく変動しても、蒸気の温度変動を小さく抑えることで、発電プラントを構成する部材の熱疲労損傷を軽減し、かつ、調節弁間の制御干渉を少なくすることで、ボイラ制御やタービン制御を安定化させることを目的とする。
【課題を解決するための手段】
【００２１】
一の実施形態によれば、発電プラントは、水を加熱して蒸気を発生させるボイラと、前記ボイラからの蒸気で発電機を駆動させる蒸気タービンとを備える。さらに、前記プラントは、前記蒸気タービンから排気又は抽気された蒸気の熱を利用して、前記ボイラに供給する水を温める、蒸気熱利用の給水加熱器と、太陽光を集光させて発生する熱を利用して、前記ボイラに供給する水を温める、太陽熱利用の給水加熱器とを備える。さらに、前記プラントは、前記蒸気熱利用の給水加熱器の入口に向けて水を流すための第１の水経路と、前記蒸気熱利用の給水加熱器の出口から排出された水を流すための第２の水経路と、前記蒸気熱利用の給水加熱器をバイパスして前記第１の水経路から前記第２の水経路に水を流すための第３の水経路とを備える。さらに、前記プラントは、前記第２又は第３の水経路内を流れる水の温度を計測する温度計測器と、前記温度に基づいて、前記第１の水経路上の分配弁と前記第３の水経路上の分配弁とを制御する、又は前記第１の水経路と前記第３の水経路との合流地点上の三方弁を制御する制御器とを備える。
【００２２】
また、別の実施形態によれば、発電プラントの運転方法は、水を加熱して蒸気を発生させるボイラからの蒸気を、前記ボイラからの蒸気で発電機を駆動させる蒸気タービンに搬送するための経路上のガバナ弁と、前記ボイラに供給する水の流量と、前記ボイラに供給する燃料の流量とを、ボイラ・タービン協調制御方式に基づいて各々制御することにより、前記発電機の発電量を制御する。
【図面の簡単な説明】
【００２３】
【図１】第１実施形態の発電プラントの構成を示す概略的な構成図である。
【図２】第２実施形態の発電プラントの構成を示す概略的な構成図である。
【図３】第３実施形態の発電プラントの構成を示す概略的な構成図である。
【図４】第４実施形態の発電プラントの構成を示す概略的な構成図である。
【図５】第５実施形態の発電プラントの構成を示す概略的な構成図である。
【図６】第６実施形態の発電プラントの構成を示す概略的な構成図である。
【図７】第７実施形態の発電プラントの構成を示す概略的な構成図である。
【図８】第８実施形態の発電プラントの構成を示す概略的な構成図である。
【図９】第１実施形態の変形例の発電プラントの構成を示す概略的な構成図である。
【図１０】従来の発電プラントの構成を示す概略的な構成図である。
【発明を実施するための最良の形態】
【００２４】
以下、本発明の実施形態を、図面を参照して説明する。なお、各図で共通する要素には同一符号を付けている。
【００２５】
［第１実施形態］
図１は、第１実施形態の発電プラントの構成を示す概略的な構成図である。
【００２６】
図１では、復水器からの水Ｗ１を、給水ポンプ４にて昇圧し、給水流量調節弁Ｖ３に導いて、水Ｗ４と水Ｗ５に分岐させる。水Ｗ４は、蒸気熱利用の給水加熱器５の入口へと流入し、水Ｗ５は、蒸気熱利用の給水加熱器５をバイパスする。水Ｗ１が流れる水経路と、水Ｗ４を蒸気熱利用の給水加熱器５の入口へと流入させる水経路は、本発明の第１の水経路の例である。また、水Ｗ５が流れる水経路は、本発明の第３の水経路の例である。
【００２７】
蒸気熱利用の給水加熱器５は、抽気蒸気Ｓ３の熱を利用して水Ｗ４を温め、蒸気熱利用の給水加熱器５の出口から排出する。排出された水Ｗ４は、水Ｗ５と合流して、水Ｗ２となる。なお、蒸気熱利用の給水加熱器５は、蒸気タービン２の出口から排出された蒸気を利用して、水Ｗ４を温めても構わない。合流後の水Ｗ２は、太陽熱利用の給水加熱器６の入口へと流入する。
【００２８】
太陽熱利用の給水加熱器６は、太陽光を集光させて発生する熱を利用して水Ｗ２をさらに温め、太陽熱利用の給水加熱器６の出口から排出する。排出された水Ｗ２は、ボイラ２へと供給される。蒸気熱利用の給水加熱器５の出口から排出された水Ｗ４が流れる水経路と、水Ｗ５が流れる水経路は、本発明の第２の水経路の例である。
【００２９】
図１の発電プラントはさらに、符号Ｔで示すように、太陽熱利用の給水加熱器６から排出された水Ｗ２の温度を計測する温度計測器を備えている。温度計測器から出力された温度計測値Ｉ２の信号は、給水流量分配制御器Ｃ１に入力される。
【００３０】
そして、給水流量分配制御器Ｃ１は、温度計測値Ｉ２に基づいて、第１の給水流量分配弁Ｖ６と、第２の給水流量分配弁Ｖ７とを制御する。第１の給水流量分配弁Ｖ６は、水Ｗ４を蒸気熱利用の給水加熱器５の入口に向けて流す水経路（第１の水経路）上に設置されている。また、第２の給水流量分配弁Ｖ７は、水Ｗ５が流れる水経路（第３の水経路）上に設置されている。
【００３１】
具体的には、給水流量分配制御器Ｃ１は、温度計測器により計測される水Ｗ２の温度が所定の一定温度となるように、給水流量分配弁Ｖ６の開度指令値Ｃ２と、給水流量分配弁Ｖ７の開度指令値Ｃ３とを出力する。こうして、給水流量分配制御器Ｃ１は、蒸気熱利用の給水加熱器５の入口に流入する水Ｗ４の流量と、蒸気熱利用の給水加熱器５をバイパスする水Ｗ５の流量を制御する。
【００３２】
なお、図１０と同一符号を付けたその他の要素の動作については、図１０と同様であるため、重複した説明は省略することにする。
【００３３】
（第１実施形態の作用効果）
以下、第１実施形態の作用効果について説明する。
【００３４】
図１の発電プラントでは、太陽からの日射量が増加すると、入熱量Ｑも増加するが、本実施形態では、ボイラ１に供給される水Ｗ２の温度の上昇を抑えるために、給水流量分配弁Ｖ７の開度を上げて、給水流量分配弁Ｖ６の開度を下げることで、水Ｗ２の温度を所定の一定温度に制御することができる。
【００３５】
逆に、太陽からの日射量が減少すると、入熱量Ｑも減少するが、本実施形態では、ボイラ１に供給される水Ｗ２の温度の低下を抑えるために、給水流量分配弁Ｖ７の開度を下げて、給水流量分配弁Ｖ６の開度を上げることで、水Ｗ２の温度を所定の一定温度に制御することができる。
【００３６】
このように、本実施形態では、太陽からの日射量に応じて流量分配を調節することで、水Ｗ２の温度を所定の一定温度に制御することができる。流量分配による時間応答は比較的速いため、太陽からの日射量が大きく変動しても、水Ｗ２の温度を所定の一定温度に制御することが可能である。
【００３７】
また、本実施形態では、太陽からの日射量の変動の影響を、発電量の増減として取り出すことができる。
【００３８】
例えば、太陽からの日射量が増加すると、蒸気熱利用の給水加熱器５に流入する水Ｗ４の流量を減少させるため、水Ｗ４と抽気蒸気Ｓ３との交換熱量が減少する。そのため、ドレン水Ｗ３の流量が減少し、ドレン水位調節弁Ｖ５の開度が減少し、抽気蒸気Ｓ３が減少する。その結果、蒸気タービン２を回転させた排気蒸気Ｓ２が増加するため、発電機３の発電量が増加する。
【００３９】
逆に、太陽からの日射量が減少すると、蒸気熱利用の給水加熱器５に流入する水Ｗ４の流量を増加させるため、水Ｗ４と抽気蒸気Ｓ３との交換熱量が増加する。そのため、ドレン水Ｗ３の流量が増加し、ドレン水位調節弁Ｖ５の開度が増加し、抽気蒸気Ｓ３が増加する。その結果、蒸気タービン２を回転させた排気蒸気Ｓ２が減少するため、発電機３の発電量が減少する。
【００４０】
以上のように、本実施形態では、温度計測値Ｉ２に基づいて、第１の給水流量分配弁Ｖ６と、第２の給水流量分配弁Ｖ７とを制御する。これにより、太陽からの日射量が大きく変動しても、ボイラ１に供給される水Ｗ２の温度を一定に保てるため、ボイラ１の出口部の蒸気Ｓ１の温度も一定に保つことができる。
【００４１】
その結果、本実施形態では、ボイラ１や、蒸気タービン２や、蒸気Ｓ１が流動する蒸気配管の金属部などで、熱応力の繰返しによる熱疲労損傷を軽減することが可能になる。また、本実施形態では、調節弁間の制御干渉が少なくなるため、ボイラ制御やタービン制御を安定化させることが可能になる。
【００４２】
（第１実施形態の変形例）
図１に示す発電プラントの構成は、図９に示す構成に置き換えてもよい。図９は、第１実施形態の変形例の発電プラントの構成を示す概略的な構成図である。
【００４３】
図９の発電プラントは、第１、第２の給水流量分配弁Ｖ６、Ｖ７の代わりに、三方弁Ｖ８を備えている。三方弁Ｖ８は、水Ｗ１、Ｗ４が流れる第１の水経路と、水Ｗ５が流れる第３の水経路との合流地点上に設置されており、水Ｗ４、Ｗ５の流量を調節することができる。本変形例の給水流量分配制御器Ｃ１は、温度計測値Ｉ２に基づいて、三方弁Ｖ８を制御する。
【００４４】
具体的には、給水流量分配制御器Ｃ１は、温度計測器により計測される水Ｗ２の温度が所定の一定温度となるように、三方弁Ｖ８の分配指令値Ｃ１０を出力する。こうして、給水流量分配制御器Ｃ１は、蒸気熱利用の給水加熱器５の入口に流入する水Ｗ４の流量と、蒸気熱利用の給水加熱器５をバイパスする水Ｗ５の流量を制御する。
【００４５】
本変形例によれば、第１実施形態と同様、太陽からの日射量が大きく変動しても、ボイラ１に供給される水Ｗ２の温度を一定に保てるため、ボイラ１の出口部の蒸気Ｓ１の温度も一定に保つことができる。
【００４６】
よって、本変形例によれば、ボイラ１や、蒸気タービン２や、蒸気Ｓ１が流動する蒸気配管の金属部などで、熱応力の繰返しによる熱疲労損傷を軽減することが可能になる。また、本変形例によれば、調節弁間の制御干渉が少なくなるため、ボイラ制御やタービン制御を安定化させることが可能になる。
【００４７】
なお、本変形例の構成は、第１実施形態だけでなく、後述する第２から第４実施形態にも適用可能である。
【００４８】
以下、第１実施形態の変形例である第２から第８実施形態について、第１実施形態との相違点を中心に説明する。
【００４９】
［第２実施形態］
図２は、第２実施形態の発電プラントの構成を示す概略的な構成図である。
【００５０】
図２では、復水器からの水Ｗ１を、給水ポンプ４にて昇圧し、給水流量調節弁Ｖ３に導いて、太陽熱利用の給水加熱器６の入口へと流入させる。太陽熱利用の給水加熱器６は、太陽光を集光させて発生する熱を利用して水Ｗ１を温め、太陽熱利用の給水加熱器６の出口から排出する。排出された水Ｗ１は、水Ｗ４と水Ｗ５に分岐される。水Ｗ４は、蒸気熱利用の給水加熱器５の入口へと流入し、水Ｗ５は、蒸気熱利用の給水加熱器５をバイパスする。
【００５１】
蒸気熱利用の給水加熱器５は、抽気蒸気Ｓ３の熱を利用して水Ｗ４をさらに温め、蒸気熱利用の給水加熱器５の出口から排出する。排出された水Ｗ４は、水Ｗ５と合流して、水Ｗ２となる。合流後の水Ｗ２は、ボイラ２へと供給される。
【００５２】
図２の発電プラントはさらに、符号Ｔで示すように、合流後の水Ｗ２の温度を計測する温度計測器を備えている。温度計測器から出力された温度計測値Ｉ２の信号は、給水流量分配制御器Ｃ１に入力される。そして、給水流量分配制御器Ｃ１は、温度計測値Ｉ２に基づいて、第１の給水流量分配弁Ｖ６と、第２の給水流量分配弁Ｖ７とを制御する。
【００５３】
具体的には、給水流量分配制御器Ｃ１は、温度計測器により計測される水Ｗ２の温度が所定の一定温度となるように、給水流量分配弁Ｖ６の開度指令値Ｃ２と、給水流量分配弁Ｖ７の開度指令値Ｃ３とを出力する。こうして、給水流量分配制御器Ｃ１は、蒸気熱利用の給水加熱器５の入口に流入する水Ｗ４の流量と、蒸気熱利用の給水加熱器５をバイパスする水Ｗ５の流量を制御する。
【００５４】
（第２実施形態の作用効果）
以下、第２実施形態の作用効果について説明する。
【００５５】
図２の発電プラントでは、太陽からの日射量が増加すると、入熱量Ｑも増加するが、本実施形態では、ボイラ１に供給される水Ｗ２の温度の上昇を抑えるために、給水流量分配弁Ｖ７の開度を上げて、給水流量分配弁Ｖ６の開度を下げることで、水Ｗ２の温度を所定の一定温度に制御することができる。
【００５６】
逆に、太陽からの日射量が減少すると、入熱量Ｑも減少するが、本実施形態では、ボイラ１に供給される水Ｗ２の温度の低下を抑えるために、給水流量分配弁Ｖ７の開度を下げて、給水流量分配弁Ｖ６の開度を上げることで、水Ｗ２の温度を所定の一定温度に制御することができる。
【００５７】
このように、本実施形態では、太陽からの日射量に応じて流量分配を調節することで、水Ｗ２の温度を所定の一定温度に制御することができる。流量分配による時間応答は比較的速いため、太陽からの日射量が大きく変動しても、水Ｗ２の温度を所定の一定温度に制御することが可能である。
【００５８】
また、本実施形態では、太陽からの日射量の変動の影響を、発電量の増減として取り出すことができる。
【００５９】
例えば、太陽からの日射量が増加すると、蒸気熱利用の給水加熱器５に流入する水Ｗ４の流量を減少させるため、水Ｗ４と抽気蒸気Ｓ３との交換熱量が減少する。そのため、ドレン水Ｗ３の流量が減少し、ドレン水位調節弁Ｖ５の開度が減少し、抽気蒸気Ｓ３が減少する。その結果、蒸気タービン２を回転させた排気蒸気Ｓ２が増加するため、発電機３の発電量が増加する。
【００６０】
逆に、太陽からの日射量が減少すると、蒸気熱利用の給水加熱器５に流入する水Ｗ４の流量を増加させるため、水Ｗ４と抽気蒸気Ｓ３との交換熱量が増加する。そのため、ドレン水Ｗ３の流量が増加し、ドレン水位調節弁Ｖ５の開度が増加し、抽気蒸気Ｓ３が増加する。その結果、蒸気タービン２を回転させた排気蒸気Ｓ２が減少するため、発電機３の発電量が減少する。
【００６１】
以上のように、本実施形態では、第１実施形態と同様に、温度計測値Ｉ２に基づいて、第１の給水流量分配弁Ｖ６と、第２の給水流量分配弁Ｖ７とを制御する。これにより、太陽からの日射量が大きく変動しても、ボイラ１に供給される水Ｗ２の温度を一定に保てるため、ボイラ１の出口部の蒸気Ｓ１の温度も一定に保つことができる。
【００６２】
その結果、本実施形態では、ボイラ１や、蒸気タービン２や、蒸気Ｓ１が流動する蒸気配管の金属部などで、熱応力の繰返しによる熱疲労損傷を軽減することが可能になる。また、本実施形態では、調節弁間の制御干渉が少なくなるため、ボイラ制御やタービン制御を安定化させることが可能になる。
【００６３】
（第１実施形態と第２実施形態との比較）
次に、太陽熱利用の給水加熱器６の加熱方式などに関連して、第１実施形態と第２実施形態の作用効果に違いについて説明する。
【００６４】
太陽熱利用の給水加熱器６の加熱方式には、太陽熱で水を直接的に加熱する直接加熱方式と、太陽熱で熱媒体を加熱し、熱媒体で水を加熱する間接加熱方式がある。
【００６５】
太陽熱が水を加熱する速度は比較的遅いため、直接加熱方式を採用した太陽熱利用の給水加熱器６では、配管がガラスなどの強度の低い素材で形成されている。そのため、直接加熱方式の場合、太陽熱利用の給水加熱器６に流入させる水の温度や圧力は、できるだけ低温、低圧にすることが望ましい。
【００６６】
よって、直接加熱方式を採用する場合には、第１実施形態の構成よりも、第２実施形態の構成を採用することが望ましい。
【００６７】
一方、水を加熱する効率の観点からは、高温加熱器が上流側に位置し、低温加熱器が下流側に位置することが好ましいため、第２実施形態の構成よりも、第１実施形態の構成を採用することが望ましい。
【００６８】
以上のように、第１、第２実施形態にはそれぞれ異なる利点があるため、いずれの構成を採用するかは、これらの利点を考慮して決定することが望ましい。
【００６９】
［第３実施形態］
図３は、第３実施形態の発電プラントの構成を示す概略的な構成図である。
【００７０】
図３では、復水器からの水Ｗ１を給水ポンプ４にて昇圧し、給水流量調節弁Ｖ３に導いて、水Ｗ４と水Ｗ５に分岐させる。水Ｗ４は、蒸気熱利用の給水加熱器５の入口へと流入する。一方、水Ｗ５は、蒸気熱利用の給水加熱器５をバイパスして、太陽熱利用の給水加熱器６の入口へと流入する。
【００７１】
蒸気熱利用の給水加熱器５は、抽気蒸気Ｓ３の熱を利用して水Ｗ４を温め、蒸気熱利用の給水加熱器５の出口から排出する。これと並行して、太陽熱利用の給水加熱器６は、太陽光を集光させて発生する熱を利用して水Ｗ５を温め、太陽熱利用の給水加熱器６の出口から排出する。排出された水Ｗ４、Ｗ５は合流して、水Ｗ２となる。合流後の水Ｗ２は、ボイラ２へと供給される。
【００７２】
図３の発電プラントはさらに、符号Ｔで示すように、太陽熱利用の給水加熱器６から排出された水Ｗ５の温度を計測する温度計測器を備えている。温度計測器から出力された温度計測値Ｉ２の信号は、給水流量分配制御器Ｃ１に入力される。
【００７３】
そして、給水流量分配制御器Ｃ１は、温度計測値Ｉ２に基づいて、第１の給水流量分配弁Ｖ６と、第２の給水流量分配弁Ｖ７とを制御する。第１の給水流量分配弁Ｖ６は、水Ｗ４を蒸気熱利用の給水加熱器５の入口に向けて流す水経路（第１の水経路）上に設置されている。また、第２の給水流量分配弁Ｖ７は、水Ｗ５を太陽熱利用の給水加熱器６の入口に向けて流す水経路（第３の水経路）上に設置されている。
【００７４】
具体的には、給水流量分配制御器Ｃ１は、温度計測器により計測される水Ｗ５の温度に基づいて、水Ｗ２の温度が所定の範囲内の一定温度となるように、給水流量分配弁Ｖ６の開度指令値Ｃ２と、給水流量分配弁Ｖ７の開度指令値Ｃ３とを出力する。こうして、給水流量分配制御器Ｃ１は、蒸気熱利用の給水加熱器５の入口に流入する水Ｗ４の流量と、太陽熱利用の給水加熱器６の入口に流入する水Ｗ５の流量を制御する。
【００７５】
（第３実施形態の作用効果）
以下、第３実施形態の作用効果について説明する。
【００７６】
図３の発電プラントでは、太陽からの日射量が増加すると、入熱量Ｑも増加するが、本実施形態では、太陽熱利用の給水加熱器６の出口部での水Ｗ５の温度の上昇を抑えるために、給水流量分配弁Ｖ７の開度を上げて、給水流量分配弁Ｖ６の開度を下げることで、間接的に、ボイラ１に供給される水Ｗ２の温度を、所定の範囲内の一定温度に制御することができる。
【００７７】
逆に、太陽からの日射量が減少すると、入熱量Ｑも減少するが、本実施形態では、太陽熱利用の給水加熱器６の出口部での水の温度の低下を抑えるために、給水流量分配弁Ｖ７の開度を下げて、給水流量分配弁Ｖ６の開度を上げることで、間接的に、ボイラ１に供給される水Ｗ２の温度を、所定の範囲内の一定温度に制御することができる。
【００７８】
このように、本実施形態では、太陽からの日射量に応じて流量分配を調節することで、水Ｗ２の温度を所定の範囲内の一定温度に制御することができる。流量分配による時間応答は比較的速いため、太陽からの日射量が大きく変動しても、水Ｗ２の温度を所定の範囲内の一定温度に制御することが可能である。
【００７９】
また、本実施形態では、太陽からの日射量の変動の影響を、発電量の増減として取り出すことができる。
【００８０】
例えば、太陽からの日射量が増加すると、蒸気熱利用の給水加熱器５に流入する水Ｗ４の流量を減少させるため、水Ｗ４と抽気蒸気Ｓ３との交換熱量が減少する。そのため、ドレン水Ｗ３の流量が減少し、ドレン水位調節弁Ｖ５の開度が減少し、抽気蒸気Ｓ３が減少する。その結果、蒸気タービン２を回転させた排気蒸気Ｓ２が増加するため、発電機３の発電量が増加する。
【００８１】
逆に、太陽からの日射量が減少すると、蒸気熱利用の給水加熱器５に流入する水Ｗ４の流量を増加させるため、水Ｗ４と抽気蒸気Ｓ３との交換熱量が増加する。そのため、ドレン水Ｗ３の流量が増加し、ドレン水位調節弁Ｖ５の開度が増加し、抽気蒸気Ｓ３が増加する。その結果、蒸気タービン２を回転させた排気蒸気Ｓ２が減少するため、発電機３の発電量が減少する。
【００８２】
以上のように、本実施形態では、第１、第２実施形態と同様に、温度計測値Ｉ２に基づいて、第１の給水流量分配弁Ｖ６と、第２の給水流量分配弁Ｖ７とを制御する。これにより、太陽からの日射量が大きく変動しても、ボイラ１に供給される水Ｗ２の温度を一定に保てるため、ボイラ１の出口部の蒸気Ｓ１の温度も一定に保つことができる。
【００８３】
その結果、本実施形態では、ボイラ１や、蒸気タービン２や、蒸気Ｓ１が流動する蒸気配管の金属部などで、熱応力の繰返しによる熱疲労損傷を軽減することが可能になる。また、本実施形態では、調節弁間の制御干渉が少なくなるため、ボイラ制御やタービン制御を安定化させることが可能になる。
【００８４】
なお、第３実施形態に特有な作用効果の詳細は、第４実施形態に特有な作用効果と共に後述する。
【００８５】
［第４実施形態］
図４は、第４実施形態の発電プラントの構成を示す概略的な構成図である。
【００８６】
図３では、復水器からの水Ｗ１を給水ポンプ４にて昇圧し、給水流量調節弁Ｖ３に導いて、水Ｗ４と水Ｗ５に分岐させる。水Ｗ４は、蒸気熱利用の給水加熱器５の入口へと流入する。一方、水Ｗ５は、蒸気熱利用の給水加熱器５をバイパスして、太陽熱利用の給水加熱器６の入口へと流入する。
【００８７】
蒸気熱利用の給水加熱器５は、抽気蒸気Ｓ３の熱を利用して水Ｗ４を温め、蒸気熱利用の給水加熱器５の出口から排出する。これと並行して、太陽熱利用の給水加熱器６は、太陽光を集光させて発生する熱を利用して水Ｗ５を温め、太陽熱利用の給水加熱器６の出口から排出する。排出された水Ｗ４、Ｗ５は合流して、水Ｗ２となる。合流後の水Ｗ２は、ボイラ２へと供給される。
【００８８】
図４の発電プラントはさらに、符号Ｔで示すように、合流後の水Ｗ２の温度を計測する温度計測器を備えている。温度計測器から出力された温度計測値Ｉ２の信号は、給水流量分配制御器Ｃ１に入力される。そして、給水流量分配制御器Ｃ１は、温度計測値Ｉ２に基づいて、第１の給水流量分配弁Ｖ６と、第２の給水流量分配弁Ｖ７とを制御する。
【００８９】
具体的には、給水流量分配制御器Ｃ１は、温度計測器により計測される水Ｗ５の温度が所定の一定温度となるように、給水流量分配弁Ｖ６の開度指令値Ｃ２と、給水流量分配弁Ｖ７の開度指令値Ｃ３とを出力する。こうして、給水流量分配制御器Ｃ１は、蒸気熱利用の給水加熱器５の入口に流入する水Ｗ４の流量と、太陽熱利用の給水加熱器６の入口に流入する水Ｗ５の流量を制御する。
【００９０】
（第４実施形態の作用効果）
以下、第４実施形態の作用効果について説明する。
【００９１】
図４の発電プラントでは、太陽からの日射量が増加すると、入熱量Ｑも増加するが、本実施形態では、ボイラ１に供給される水Ｗ２の温度の上昇を抑えるために、給水流量分配弁Ｖ７の開度を上げて、給水流量分配弁Ｖ６の開度を下げることで、水Ｗ２の温度を所定の範囲の一定温度に制御することができる。
【００９２】
逆に、太陽からの日射量が減少すると、入熱量Ｑも減少するが、本実施形態では、ボイラ１に供給される水Ｗ２の温度の低下を抑えるために、給水流量分配弁Ｖ７の開度を下げて、給水流量分配弁Ｖ６の開度を上げることで、水Ｗ２の温度を所定の一定温度に制御することができる。
【００９３】
このように、本実施形態では、太陽からの日射量に応じて流量分配を調節することで、水Ｗ２の温度を所定の一定温度に制御することができる。流量分配による時間応答は比較的速いため、太陽からの日射量が大きく変動しても、水Ｗ２の温度を所定の一定温度に制御することが可能である。
【００９４】
また、本実施形態では、太陽からの日射量の変動の影響を、発電量の増減として取り出すことができる。
【００９５】
例えば、太陽からの日射量が増加すると、蒸気熱利用の給水加熱器５に流入する水Ｗ４の流量を減少させるため、水Ｗ４と抽気蒸気Ｓ３との交換熱量が減少する。そのため、ドレン水Ｗ３の流量が減少し、ドレン水位調節弁Ｖ５の開度が減少し、抽気蒸気Ｓ３が減少する。その結果、蒸気タービン２を回転させた排気蒸気Ｓ２が増加するため、発電機３の発電量が増加する。
【００９６】
逆に、太陽からの日射量が減少すると、蒸気熱利用の給水加熱器５に流入する水Ｗ４の流量を増加させるため、水Ｗ４と抽気蒸気Ｓ３との交換熱量が増加する。そのため、ドレン水Ｗ３の流量が増加し、ドレン水位調節弁Ｖ５の開度が増加し、抽気蒸気Ｓ３が増加する。その結果、蒸気タービン２を回転させた排気蒸気Ｓ２が減少するため、発電機３の発電量が減少する。
【００９７】
以上のように、本実施形態では、第１〜第３実施形態と同様に、温度計測値Ｉ２に基づいて、第１の給水流量分配弁Ｖ６と、第２の給水流量分配弁Ｖ７とを制御する。これにより、太陽からの日射量が大きく変動しても、ボイラ１に供給される水Ｗ２の温度を一定に保てるため、ボイラ１の出口部の蒸気Ｓ１の温度も一定に保つことができる。
【００９８】
その結果、本実施形態では、ボイラ１や、蒸気タービン２や、蒸気Ｓ１が流動する蒸気配管の金属部などで、熱応力の繰返しによる熱疲労損傷を軽減することが可能になる。また、本実施形態では、調節弁間の制御干渉が少なくなるため、ボイラ制御やタービン制御を安定化させることが可能になる。
【００９９】
（第３実施形態と第４実施形態との比較）
次に、第３実施形態と第４実施形態の作用効果に違いについて説明する。
【０１００】
第３、第４実施形態では共に、復水器からの水Ｗ１が水Ｗ４と水Ｗ５に分岐された後、水Ｗ４が、蒸気熱利用の給水加熱器５にて加熱され、水Ｗ５が、太陽熱利用の給水加熱器６にて加熱される。
【０１０１】
しかしながら、第３実施形態では、太陽熱利用の給水加熱器６から排出された合流前の水Ｗ５の温度が計測対象となるのに対し、第４実施形態では、合流後の水Ｗ２の温度が計測対象となる。
【０１０２】
これらの実施形態では、ボイラ１に供給する水Ｗ２の温度を一定に保つことを、目標の１つとしている。そのため、水Ｗ２の温度を計測して、この計測値を一定に制御する第４実施形態の制御の方が、第３実施形態の制御よりも自然であり、この目標を達成する上で望ましい制御である。
【０１０３】
一方、第３実施形態には、太陽からの日照量の変動が水温に及ぼす影響を、より直接的に観測できるという利点がある。理由は、第４実施形態では、水Ｗ４と水Ｗ５が混ざった後の水温を計測するため、日照量の変動による水温の変化が目立たないのに対し、第３実施形態では、水Ｗ４と混ざる前の水Ｗ５の水温を計測するため、日照量の変動による水温の変化がより明確に表れるからである。よって、第３実施形態には、日照量の変動が水温に及ぼす影響を正確に観測できる、日照量の変動の影響が水温に素早く表れる、などの利点がある。
【０１０４】
なお、第３実施形態では、上述のように、温度計測器により計測される水Ｗ５の温度に基づいて、水Ｗ２の温度を所定の範囲内の一定温度となるよう制御する。このような制御は、水Ｗ２の温度、水Ｗ５の温度、第１の給水流量分配弁Ｖ６の開度、第２の給水流量分配弁Ｖ７の開度の関係を、予め実験や計算で導出しておくことで実現可能である。
【０１０５】
最後に、第１、第２実施形態に対する第３、第４実施形態の利点を説明しておく。
【０１０６】
第１、第２実施形態における太陽熱利用の給水加熱器６は、分岐前又は合流後の大量の水（Ｗ１又はＷ２）を加熱対象とする。よって、大量の水が太陽熱で加熱されるため、日照量の変動の影響による水温の変化量が大きい。
【０１０７】
これに対し、第３、第４実施形態における太陽熱利用の給水加熱器６は、分岐後の少量の水（Ｗ５）を加熱対象とする。よって、太陽熱で加熱される水が少量であるため、日照量の変動の影響による水温の変化量が小さい。よって、第３、第４実施形態には、第１、第２の給水流量分配弁Ｖ６、Ｖ７の制御量が小さくて済むという利点がある。
【０１０８】
以上説明した第１から第４実施形態では、太陽からの日射量の変動により、発電機３の発電量が増減することになる。一方、電力系統周波数の安定化の観点から、発電機３の発電量を、所定の要求出力指令値に合わせて一定量に制御したい場合もあると考えられる。そこで、第５から第８実施形態では、太陽からの日射量が変動しても、発電機３の発電量を一定値に制御することが可能な発電プラントについて説明する。
【０１０９】
［第５〜第８実施形態］
図５〜図８はそれぞれ、第５〜第８実施形態の発電プラントの構成を示す概略的な構成図である。図５〜図８の発電プラントはそれぞれ、図１〜図４の発電プラントに対し、ボイラ・タービン協調制御方式の制御用の構成を付加したものである。
【０１１０】
以下、図５を参照し、第５実施形態の発電プラントの動作について説明する。ただし、以下の説明は、第６〜第８実施形態に対しても同様に適用される。
【０１１１】
図５において、要求出力指令値Ｃ４の信号は、発電機３の発電量の指令値を保持する信号である。
【０１１２】
本実施形態では、発電機３の発電量を指令値に制御すべく、要求出力指令値Ｃ４の信号を、発電機３の発電量計測値Ｉ３の信号と比較する。次に、指令値Ｃ４と計測値Ｉ３との偏差を修正すべく、蒸気タービン２用の制御量であるタービンガバナ指令値Ｃ５と、ボイラ１用の制御量であるボイラ入力指令値Ｃ６に対して修正を加える。タービンガバナ指令値Ｃ５は、ガバナ弁Ｖ２の開度の制御用に使用される。
【０１１３】
次に、本実施形態では、ボイラ入力指令値Ｃ６の信号を、ボイラ１からガバナ弁Ｖ２に向かう蒸気Ｓ１の圧力計測値Ｉ４の信号と比較する。次に、これらの値同士の偏差を修正すべく、ボイラ１用の制御量である給水指令値Ｃ７及び燃焼量指令値Ｃ８に対して修正を加える。給水指令値Ｃ７は、給水流量調節弁Ｖ３の制御、すなわち、ボイラ１に供給する水Ｗ１の流量の制御用に使用される。
【０１１４】
次に、本実施形態では、燃焼量指令値Ｃ８の信号を、ボイラ１からガバナ弁Ｖ２に向かう蒸気Ｓ１の温度計測値Ｉ５の信号と比較する。次に、これらの値同士の偏差を修正すべく、ボイラ１用の制御量である燃料指令値Ｃ９に対して修正を加える。燃料指令値Ｃ９は、燃料流量調節弁Ｖ１の制御、すなわち、ボイラ１に供給する燃料Ｆの流量の制御用に使用される。
【０１１５】
以上のボイラ・タービン協調制御の動作により修正された各制御量は、各操作端の制御ループにて調節される。すなわち、ガバナ弁Ｖ２の開度を、タービンガバナ指令値Ｃ５にバランスさせ、給水流量調節弁Ｖ３により制御される給水流量を、給水指令値Ｃ７にバランスさせ、燃料流量調節弁Ｖ１により制御される燃料流量を、燃料指令値Ｃ９にバランスさせる。この制御では、ガバナ弁Ｖ２の制御により、発電量が制御され、ガバナ弁Ｖ２の開度に釣り合うように、燃料流量調節弁Ｖ１と給水流量調節弁Ｖ３の開度が制御される。
【０１１６】
（第５〜第８実施形態の作用効果）
以下、第５実施形態の作用効果について説明する。ただし、以下の説明は、第６〜第８実施形態に対しても同様に適用される。
【０１１７】
本実施形態では、第１実施形態にて説明したように、太陽からの日射量が増加すると、蒸気タービン２の抽気蒸気Ｓ３の流量を減少させる。そこで、本実施形態では、発電機３の発電量計測値Ｉ３が増加するのを抑えるために、ボイラ・タービン協調制御の動作により、ガバナ弁Ｖ２、給水流量調節弁Ｖ３、燃料流量調節弁Ｖ１の開度を下げる。これにより、発電機３の発電量計測値Ｉ３を、要求出力指令値Ｃ４に合わせて一定出力となるよう制御することができる。
【０１１８】
逆に、本実施形態では、太陽からの日射量が減少すると、蒸気タービン２の抽気蒸気Ｓ３の流量を増加させる。そこで、本実施形態では、発電機３の発電量計測値Ｉ３が減少するのを抑えるために、ボイラ・タービン協調制御の動作により、ガバナ弁Ｖ２、給水流量調節弁Ｖ３、燃料流量調節弁Ｖ１の開度を上げる。これにより、発電機３の発電量計測値Ｉ３を、要求出力指令値Ｃ４に合わせて一定出力となるよう制御することができる。
【０１１９】
このような制御により、本実施形態では、太陽からの日射量が大きく変動しても、ボイラ１と蒸気タービンを１つのユニットとして統合して制御することで、汽力発電システムの主要なプロセス量である発電量、蒸気圧力、蒸気温度間の相互干渉を最小とするような制御動作を行うことができる。
【０１２０】
その結果、本実施形態によれば、発電量を一定値に制御する場合においても、ボイラ１や、蒸気タービン２や、蒸気Ｓ１が流動する蒸気配管の金属部などで、熱応力の繰返しによる熱疲労損傷を軽減することが可能になる。さらに、本実施形態では、調節弁間の制御干渉が少なくなるので、ボイラ制御やタービン制御を安定化させることが可能になる。
【０１２１】
なお、事業用の汽力発電システムでは、再熱サイクルや、複数の抽気段が存在する再生サイクルなどが採用されることが多い。このような汽力発電システムは、図１〜図９に示す汽力発電システムより構成が複雑であるが、このような汽力発電システムにも、第１〜第８実施形態やその変形例の構成は適用可能である。
【０１２２】
以上、本発明の具体的な態様の例を、第１から第８実施形態により説明したが、本発明は、これらの実施形態に限定されるものではない。
【符号の説明】
【０１２３】
１：ボイラ、２：蒸気タービン、３：発電機、４：給水ポンプ、
５：蒸気熱利用の給水加熱器、６：太陽熱利用の給水加熱器、
Ｃ１：給水流量分配制御器、Ｃ２：第１の給水流量分配弁の開度指令値、
Ｃ３：第２の給水流量分配弁の開度指令値、Ｃ４：要求出力指令値、
Ｃ５：タービンガバナ指令値、Ｃ６：ボイラ入力指令値、
Ｃ７：給水指令値、Ｃ８：燃焼量指令値、Ｃ９：燃料指令値、
Ｉ１：給水加熱器のドレン水位計測値、Ｉ２：水の温度計測値、
Ｉ３：発電機の発電量計測値、Ｉ４：蒸気の圧力計測値、Ｉ５：蒸気の温度計測値、
Ｖ１：燃料流量調節弁、Ｖ２：ガバナ弁、Ｖ３：給水流量調節弁、
Ｖ４：タービン抽気逆止弁、Ｖ５：ドレン水位調節弁、
Ｖ６：第１の給水流量分配弁、Ｖ７：第２の給水流量分配弁、Ｖ８：三方弁、
Ｆ：燃料、Ｑ：太陽からの入熱量、
Ｓ１、Ｓ２、Ｓ３：蒸気、Ｗ１、Ｗ２、Ｗ３、Ｗ４、Ｗ５：水
【図１】
0005723220.tif 000002
【図２】
0005723220.tif 000003
【図３】
0005723220.tif 000004
【図４】
0005723220.tif 000005
【図５】
0005723220.tif 000006
【図６】
0005723220.tif 000007
【図７】
0005723220.tif 000008
【図８】
0005723220.tif 000009
【図９】
0005723220.tif 000010
【図１０】
0005723220.tif 000011